(57)【要約】【課題】実際に稼動している装置のパネルの構造を正確に表すパネル管理画面を生成することを課題とする。【解決手段】本発明は、管理対象の装置におけるパネル部分を表すパネル管理画面を生成する管理画面生成装置１であって、装置のパネル部分を含む写真画像から、当該パネル部分を装置画像として抽出する装置抽出部１０１と、装置画像を異常発生の検出対象となる箇所ごとに分割して分割画像とする画像分割部１０２と、分割画像を所定のレイアウトデータに埋め込むことでパネル管理画面を生成し、当該パネル管理画面を記憶部（パネル管理ＤＢ１０７）に記憶するパネル管理画面生成部１０３と、を備える。【選択図】図１
2011002971.tif 000002
【特許請求の範囲】
【請求項１】
管理対象の装置におけるパネル部分を表すパネル管理画面を生成する管理画面生成装置による管理画面生成方法であって、
前記管理画面生成装置は、装置抽出部と、画像分割部と、パネル管理画面生成部と、記憶部と、を備えており、
前記装置抽出部は、前記装置のパネル部分を含む写真画像から、当該パネル部分を装置画像として抽出し、
前記画像分割部は、前記装置画像を、前記パネル部分における異常発生の検出対象となる複数の箇所それぞれが別々の分割領域に分かれるように分割して分割画像とし、
前記パネル管理画面生成部は、前記分割画像を所定のレイアウトデータに埋め込むことでパネル管理画面を生成し、当該パネル管理画面を記憶部に記憶する
ことを特徴とする管理画面生成方法。
【請求項２】
前記管理画面生成装置は、パネル管理画面表示指示部を、さらに備えており、
前記パネル管理画面表示指示部は、前記装置から異常発生の検出箇所の識別情報を含む警報の入力を受け付けたとき、前記記憶部に記憶したパネル管理画面を読み出し、当該読み出したパネル管理画面において当該異常発生の検出箇所の属する分割領域を他の分割領域と視覚的に識別できるように加工し、当該加工したパネル管理画面を、前記装置の管理者が使用するクライアント端末の表示部に表示させる
ことを特徴とする請求項１に記載の管理画面生成方法。
【請求項３】
前記記憶部は、前記パネル管理画面における分割領域ごとに、その分割領域に属する異常発生の検出対象の箇所の識別情報を示した対応情報を、記憶しており、
前記パネル管理画面表示指示部は、前記装置から、当該装置における異常発生の検出箇所の識別情報を含む警報の入力を受け付けたとき、前記対応情報と、前記警報に含まれる異常発生の検出箇所の識別情報とを照合して、前記パネル管理画面における当該異常発生の検出箇所の属する分割領域を特定する
ことを特徴とする請求項２に記載の管理画面生成方法。
【請求項４】
管理対象の装置におけるパネル部分を表すパネル管理画面を生成する管理画面生成装置であって、
前記装置のパネル部分を含む写真画像から、当該パネル部分を装置画像として抽出する装置抽出部と、
前記装置画像を、前記パネル部分における異常発生の検出対象となる複数の箇所それぞれが別々の分割領域に分かれるように分割して分割画像とするパネル管理画面生成部と、
前記分割画像を所定のレイアウトデータに埋め込むことでパネル管理画面を生成し、当該パネル管理画面を記憶部に記憶する画像分割部と、
を備えることを特徴とする管理画面生成装置。
【請求項５】
前記装置から異常発生の検出箇所の識別情報を含む警報の入力を受け付けたとき、前記記憶部に記憶したパネル管理画面を読み出し、当該読み出したパネル管理画面において当該異常発生の検出箇所の属する分割領域を他の分割領域と視覚的に識別できるように加工し、当該加工したパネル管理画面を、前記装置の管理者が使用するクライアント端末の表示部に表示させるパネル管理画面表示指示部を、さらに備える
ことを特徴とする請求項４に記載の管理画面生成装置。
【請求項６】
前記記憶部は、前記パネル管理画面における分割領域ごとに、その分割領域に属する異常発生の検出対象の箇所の識別情報を示した対応情報を、記憶しており、
前記パネル管理画面表示指示部は、前記装置から、当該装置における異常発生の検出箇所の識別情報を含む警報の入力を受け付けたとき、前記対応情報と、前記警報に含まれる異常発生の検出箇所の識別情報とを照合して、前記パネル管理画面における当該異常発生の検出箇所の属する分割領域を特定する
ことを特徴とする請求項５に記載の管理画面生成装置。
【請求項７】
コンピュータを請求項４から請求項６のいずれか一項に記載の管理画面生成装置として機能させるためのプログラム。
【発明の詳細な説明】
【技術分野】
【０００１】
本発明は、装置の管理を行うためのパネル管理画面を生成する技術に関する。
【背景技術】
【０００２】
従来から、通信網を構成するルータ、スウィッチ、サーバ、負荷分散装置、伝送装置、電源装置などの装置を管理する管理システムが用いられている。管理システムには、例えば、管理を円滑にするために（ユーザが理解しやすいように）、管理対象である装置のポート（インタフェースポートや通信ポートなど）や電源などの構成をグラフィカルに表示する画面（「グラフィカルデバイスビュー」、「パネル管理画面」などとも呼ばれる。）を用いるものが存在する（例えば非特許文献１，２参照）。なお、本明細書において、「パネル」とは、装置におけるポートや電源などを有する面のことを指すものとする。
【０００３】
管理システムは、装置から発せられる警報の受信や、管理システムによる装置への導通試験等により、装置の異常を検知した場合、例えば、装置とは別のクライアント端末にパネル管理画面を表示させる。そして、そのパネル管理画面において、印や色によって異常発生箇所を特定する表示を行うことで、ユーザに異常発生箇所を知らせることができる。
【先行技術文献】
【非特許文献】
【０００４】
【非特許文献１】“統合システム運用管理ＪＰ１（登録商標）：ネットワーク管理”、[online]、株式会社日立製作所、[平成２１年６月４日検索]、インターネット＜1245282098937_0.html#elm＞
【非特許文献２】“ＳＮＭＰツール”、[online]、デジタルアーキテクト株式会社、[平成２１年６月４日検索]、インターネット＜1245282098937_1.html＞
【発明の概要】
【発明が解決しようとする課題】
【０００５】
前記した例の場合、パネル管理画面として、例えば、あらかじめ管理システム内に保持した装置のテンプレート画像を表示する。そのため、そのテンプレート画像と実際に稼動している装置とを比べると、電源やポートの数や位置、アクティブに動作しているポートなどが異なっている場合がある。
【０００６】
また、通信網を構成する機器は、同じ型の装置であっても、インタフェースカードなどの様々な部品をカスタマイズし、組み合わせて構成することが可能である。そのため、インタフェースカードの数、種別（FastEthernet（登録商標）、ＧｂＥ（Giga bit Ethernet（登録商標））、ＡＴＭ(Ａsynchronous Ｔransfer Ｍode)など）などによって、実際に稼動している装置が、管理システムの保持する当該装置のテンプレート画像と同一の外見を持つことは少ない。
【０００７】
このような場合、管理システムの開発者（あるいは製造者）によって、実際の装置の構成を表すパネル管理画面を手動で逐次作成する方法が考えられる。しかし、装置の構成は運用の状況によって頻繁に変更されるため、管理システムの開発者によってパネル管理画面を手動で逐次作成する方法の場合、手間や時間がかかってしまい、実現が困難である。
【０００８】
また、管理システムの開発者と装置の製造者が異なる場合、管理システムの開発者は、装置の詳細な構成情報を入手しないと、装置のパネル管理画面を作成することができない場合もある。また、管理システムの開発者が装置のユーザからみて第三者である場合に、ユーザが装置の詳細な構成情報をその開発者に公開しなければ、その開発者がパネル管理画面を作成できず、情報公開の点で問題が生じることもある。
【０００９】
本発明は、前記した問題に鑑みてなされたものであり、実際に稼動している装置のパネルの構造を正確に表すパネル管理画面を生成することを課題とする。
【課題を解決するための手段】
【００１０】
前記した課題を解決するために、本発明は、管理対象の装置におけるパネル部分を表すパネル管理画面を生成する管理画面生成装置であって、装置のパネル部分を含む写真画像から、当該パネル部分を装置画像として抽出する装置抽出部と、装置画像を、パネル部分における異常発生の検出対象となる複数の箇所それぞれが別々の分割領域に分かれるように分割して分割画像とするパネル管理画面生成部と、分割画像を所定のレイアウトデータに埋め込むことでパネル管理画面を生成し、当該パネル管理画面を記憶部に記憶する画像分割部と、を備えることを特徴とする。
【００１１】
かかる発明によれば、実際に稼動している装置のパネル部分の画像を異常発生の検出対象となる箇所ごとに分割して分割画像とし、その分割画像を所定のレイアウトデータに埋め込むことでパネル管理画面を生成することで、実際に稼動している装置のパネルの構造を正確に表すパネル管理画面を生成することができる。
【００１２】
また、本発明は、装置から異常発生の検出箇所の識別情報を含む警報の入力を受け付けたとき、記憶部に記憶したパネル管理画面を読み出し、当該読み出したパネル管理画面において当該異常発生の検出箇所の属する分割領域を他の分割領域と視覚的に識別できるように加工し、当該加工したパネル管理画面を、装置の管理者が使用するクライアント端末の表示部に表示させるパネル管理画面表示指示部を、さらに備えることが好ましい。
【００１３】
かかる発明によれば、装置から警報の入力を受け付けたとき、パネル管理画面において異常発生の検出箇所の属する分割領域を視覚的に識別できるように加工したパネル管理画面をクライアント端末の表示部に表示させることができる。これにより、その表示を見たユーザは、装置における異常発生の検出箇所を容易に認識することができる。
【００１４】
また、本発明は、記憶部が、パネル管理画面における分割領域ごとに、その分割領域に属する異常発生の検出対象の箇所の識別情報を示した対応情報を、記憶しており、パネル管理画面表示指示部は、装置から、当該装置における異常発生の検出箇所の識別情報を含む警報の入力を受け付けたとき、対応情報と、警報に含まれる異常発生の検出箇所の識別情報とを照合して、パネル管理画面における当該異常発生の検出箇所の属する分割領域を特定することが好ましい。
【００１５】
かかる発明によれば、パネル管理画面における異常発生の検出箇所を具体的かつ容易に特定することができる。
【００１６】
また、本発明は、コンピュータを前記した管理画面生成装置として機能させるためのプログラムである。
かかる発明によれば、このプログラムをインストールされたコンピュータが、このプログラムに基づいた各機能を実現することができる。
【発明の効果】
【００１７】
本発明によれば、実際に稼動している装置のパネルの構造を正確に表すパネル管理画面を生成することができる。
【図面の簡単な説明】
【００１８】
【図１】本実施形態の管理画面生成装置等の構成を示すブロック図である。
【図２】パネル管理画面の生成処理を示すフローチャートである。
【図３Ａ】パネル管理画面の生成手順を示す概念図である。
【図３Ｂ】パネル管理画面の生成手順を示す概念図である。
【図３Ｃ】パネル管理画面の生成手順を示す概念図である。
【図４】パネル管理画面の例を示す図である。
【図５】警報取得時の処理を示すフローチャートである。
【図６】パネル管理画面の表示例を示す図である。
【発明を実施するための形態】
【００１９】
以下、図面を参照して、本発明を実施するための形態（以下「実施形態」という。）について説明する。
【００２０】
（構成）
図１に示すように、本実施形態のネットワークシステム１０００は、管理画面生成装置１と装置２とクライアント端末３とが、ＬＡＮ（Local Area Network）などのネットワーク４によって接続されて構成されている。なお、ネットワーク４は、ＬＡＮに限定されず、ＷＡＮ（Wide Area Network）などを含めたの任意のネットワークであって良く、また、有線と無線のいずれであっても良い。
【００２１】
管理画面生成装置１は、コンピュータ装置であり、装置画像入力ＩＦ（InterFace）１００、装置抽出部１０１、画像分割部１０２、パネル管理画面生成部１０３、パネル管理画面テンプレートファイルＤＢ（Data Base）１０４、パネル管理画面表示指示部１０５、設定ＩＦ１０６、パネル管理ＤＢ１０７、装置画像ＤＢ１０８、装置情報ＤＢ１０９、装置情報登録部１１０、警報受信ＩＦ１１１、警報振分部１１２を備えて構成される（詳細は後記）。
【００２２】
なお、管理画面生成装置１において、各部は、例えば、ＣＰＵ（Central Processing Unit）が所定のプログラムをＨＤＤ（Hard Disk Drive）などの記憶手段から読み出してＲＡＭ（Random Access Memory）に展開して実行することによって実現される。また、各ＩＦは、例えば、ＬＳＩ（Large Scale Integration）やＩＣ（Integrated Circuit）などを用いた通信インタフェースによって実現される。また、各ＤＢは、例えば、ＨＤＤなどの記憶部によって実現される。
【００２３】
管理対象である装置２は、コンピュータ装置であり、管理画面生成装置１に対し、自身の装置ＩＤ（IDentification）および異常箇所（故障箇所）を識別するための情報（ＩＰ（Internet Protocol）アドレスやユーザ独自の情報など）を含む警報を送信する機能を持つものとする。そして、管理画面生成装置１における警報受信ＩＦ１１１は、例えば、装置２が発出するＳＮＭＰ（Simple Network Management Protocol）のＴｒａｐ通知を受信するインタフェースであるものとする。
【００２４】
また、クライアント端末３は、ユーザが装置２の状態を管理するために用いるコンピュータ装置であり、表示部３１を備えている。管理画面生成装置１におけるパネル管理画面表示指示部１０５は、クライアント端末３に対し、パネル管理画面を提供する（送信する）。また、設定ＩＦ１０６は、クライアント端末３から、装置２の管理に関する設定情報を受信する。
【００２５】
クライアント端末３は、例えば、パネル管理画面表示指示部１０５にアクセスして取得したパネル管理画面を表示部３１に表示するためのＷｅｂブラウザを備え、また、管理画面生成装置１に対して設定ＩＦ１０６を介して表示情報、警報情報、装置情報の設定変更を行えるインタフェースを備えるものとする。
【００２６】
（パネル管理画面の生成処理）
図２を参照して、実際の装置２の画像からパネル管理画面を生成する処理について説明する（適宜図１参照）。
【００２７】
図２に示すように、管理画面生成装置１の装置画像入力ＩＦ１００は、クライアント端末３から、実際の装置２のパネル部分を撮影した画像（以下「原画像」ともいう。）と、その装置２の装置名情報とＩＰ（Internet Protocol）アドレスとの入力を受け付ける（Ｓ１）。当該画像は、例えば、デジタルカメラ(不図示)によって撮影された画像である。このとき、装置画像入力ＩＦ１００は、クライアント端末３から、装置２の装置名情報、および、装置２のＩＰアドレス情報の入力を併せて受け付ける（Ｓ１）。装置画像入力ＩＦ１００は、原画像、装置名情報およびＩＰアドレス情報を装置画像ＤＢ１０８に格納する（Ｓ２）。
【００２８】
次に、装置抽出部１０１は、装置画像ＤＢ１０８から原画像と装置名情報を読み出し（Ｓ３）、原画像からパネル部分を切り出し（Ｓ４：図３Ａで後記）、切り出した画像（以下「装置画像」ともいう。）と、その装置画像を管理画面生成装置１内でユニークに識別するために付与した装置ＩＤとを装置画像ＤＢ１０８に格納する（Ｓ５）。なお、装置抽出部１０１による装置画像の切り出し（Ｓ４）は、クライアント端末３のユーザによる画像の範囲指定による画像処理によるものでも良いし、他の手段（画像の特徴抽出による自動画像切り出し処理）によるものでも良い。
【００２９】
Ｓ５の後、装置抽出部１０１は、装置画像の入力通知を、装置画像入力ＩＦ１００を介してクライアント端末３に送信する（Ｓ６，Ｓ７）。
次に、クライアント端末３は、装置画像を分割するときに用いられる分割数情報（縦×横）を、装置画像入力ＩＦ１００を介して装置抽出部１０１に送信する（Ｓ８，Ｓ９）。
【００３０】
次に、画像分割部１０２は、装置抽出部１０１からＳ４で切り出した装置画像と装置ＩＤと分割数情報とを受け取り（Ｓ１０）、装置画像の分割を行い（Ｓ１１：図３Ｂ、図３Ｃで後記）、分割画像（分割後の画像）と子ＩＤ（分割された画像領域ごとのＩＤ：図３Ｃで後記）を装置画像ＤＢ１０８に格納する（Ｓ１２）。
【００３１】
次に、画像分割部１０２は、分割画像と装置ＩＤと子ＩＤと分割数情報とを、パネル管理画面生成部１０３に送信する（Ｓ１３）。
パネル管理画面生成部１０３は、パネル管理画面テンプレートファイルＤＢ１０４に対し、分割数情報を送信し（Ｓ１４）、その分割数情報に応じたパネル管理画面テンプレートファイル（レイアウトデータ）を取得する（Ｓ１５）。なお、このパネル管理画面テンプレートファイルは、パネル管理画面を作成するためのファイルであり、従来のテンプレート画像のようにそのまま装置の管理に用いられるものではない。パネル管理画面テンプレートファイルは、最終的なパネル管理画面がクライアント端末３の表示部３１においてＷｅｂブラウザで表示される場合、ＨＴＭＬ（Hyper Text Markup Language）ファイルで記述されている。
【００３２】
Ｓ１５の後、パネル管理画面生成部１０３は、取得したパネル管理画面テンプレートファイルに分割画像を適用する（埋め込む）ことで、パネル管理画面（パネル管理画面を出力するためのパネル管理画面表示用のファイル（例えばＨＴＭＬファイル））を生成する（Ｓ１６）。
【００３３】
Ｓ１６の後、パネル管理画面生成部１０３は、生成したパネル管理画面と装置ＩＤ（および子ＩＤ）とをパネル管理ＤＢ１０７に格納し（Ｓ１７）、クライアント端末３にパネル管理画面生成通知とパネル管理画面とを送信する（Ｓ１８）。
【００３４】
以上がパネル管理画面生成時の処理である。続いて、装置２の運用時において、クライアント端末３は、パネル管理画面を呼び出したい装置２の装置ＩＤをパネル管理画面表示指示部１０５に送信する（Ｓ２１）。
そうすると、パネル管理画面表示指示部１０５は、パネル管理ＤＢ１０７にアクセスし、装置ＩＤに基づいて該当するパネル管理画面を読み出し（Ｓ２２，Ｓ２３）、そのパネル管理画面をクライアント端末３に送信する（Ｓ２４）。これにより、クライアント端末３は、装置２のパネル管理画面を表示部３１に表示することができる。
【００３５】
次に、図３Ａ〜図３Ｃを参照して、図２のフローチャートにおけるＳ１１の処理について詳細に説明する。
ここでは、図３Ａに示すように、クライアント端末３から装置画像入力ＩＦ１００に入力された（Ｓ１）原画像が、パネル部分だけ切り出されて（Ｓ４）装置画像となったとき、その装置画像を２（縦）×１０（横）の２０の領域に分割する場合を例にとって説明する。
【００３６】
なお、分割数情報（ここでは２（縦）×１０（横））は、クライアント端末３のユーザが適宜決定する。具体的には、ユーザは、装置２におけるパネルのポート（異常発生の検出対象となる箇所）や電源（異常発生の検出対象となる箇所）が別々の要素画像（分割画像における領域ごとの画像）内に表示されるように、分割数情報を決定する。なお、図３Ａ〜図３Ｃの例では、装置画像において、（左から順に、）１個の電源、４個の通信ポート、１４個のＩＦポート（インタフェースポート）がある場合を示している。図３ＡにおけるＳ１１の状態では、分割画像として、切り出したパネル部分の画像を任意のブロック（ここでは２（縦）×１０（横））に分割しているが、このままでは、分割幅と実際のポート幅が適合していないため、警報とその発生箇所画像を正確にマッピングした表現ができない。
【００３７】
パネル管理画面の具体的な作成手順の例について、図３Ｂ、図３Ｃを参照して説明する。
図３Ｂに示すように、Ｓ１１−１（Ｓ１１の一部。以下同様）では、初期の設定情報である分割数情報にしたがい、装置画像が、１本（縦分割用の横線）×９本（横分割用の縦線）の分割線によって、２（縦）×１０（横）の領域に分割され、分割画像となっている。しかし、この分割線では、分割領域それぞれに、電源、通信ポート、ＩＦポートそれぞれが収まっていないので、横分割用の縦線の本数を変更することで、分割単位の大きさを調節する必要がある。この分割線の調節は、例えば、画像認識技術（各画素の特徴の数値化による境界抽出など）を用いることにより行うが、ユーザの手動操作によって行っても良い。
【００３８】
Ｓ１１−２では、装置画像において、横分割用の縦線を、右側のＩＦポートの境界位置に合わせて調節した場合を示している。しかし、この場合、１つの要素画像内に２つのＩＦポートが入っており、異常発生のＩＦポートを、対応する要素画像によって一意に表現できないため、もっと細かく分割する必要がある。そのため、画像認識技術による分割線の調節をさらに行う。
【００３９】
Ｓ１１−３では、装置画像において、横分割用の縦線を、右側のＩＦポートのすべての境界位置に合わせて調節した場合を示している。これにより、それぞれの要素画像内にそれぞれのＩＦポートが入っており、異常発生のＩＦポートを、対応する要素画像によって一意に表現できる。
【００４０】
次に、図３Ｃに示すように、Ｓ１１−４では、装置画像において、不要な分割用の線を削除する。つまり、異常発生の可能性のない部分（例えば電源やポートなどが存在していない部分）や、一つの異常発生の検出箇所（例えば電源やポートなど）が複数の要素画像にまたがっている部分の要素画像を統合する。
【００４１】
なお、Ｓ１１−３の処理を行った後に、例えば、ある２つの通信ポートの間に分割用の線がなかった場合、Ｓ１１−４で不要な分割用の線を削除すると、その２つの通信ポートが１つの要素画像に含まれてしまうことになる。その場合の対処方法としては、例えば、次の３つが挙げられる。
【００４２】
１つ目は、Ｓ１１−３に戻って、分割幅を1/2あるいは1/3などにして、処理をし直す方法である。これにより、その２つの通信ポートが１つずつの要素画像に含まれるようにすることができる。つまり、その２つの通信ポートが１つずつの要素画像に含まれるようになるまで、分割幅を小さくする処理を行う。
【００４３】
２つ目は、Ｓ１１−４で、その２つの通信ポートの上に重なっている分割用の線の少なくとも１つを削除せずに残し、その２つの通信ポートの片方あるいは両方が複数の要素画像にまたがっているのを許容する方法である。そうすれば、その２つの通信ポートを、複数の要素画像をまたぎながらも、別々の要素画像に分けることができる。つまり、複数の要素画像をまたいでいる通信ポートの故障時にその警報表示をする場合、例えば、その通信ポートをより大きく含んでいる１つの要素画像の色を変えることで、ユーザに当該故障を認識させることができる。
【００４４】
３つ目は、その２つの通信ポートが１つの要素画像に含まれてしまったままにすることである。その場合、異常発生箇所を表示する場合（詳細は後記）、その２つの通信ポートのいずれが故障しても、その要素画像の色を変える等で、ユーザに告知する。
【００４５】
Ｓ１１−４の後、Ｓ１１−５では、前記した要素画像の統合により作成された最終分割画像（以下、単に「分割画像」ともいう。）を示している。分割された要素画像それぞれには、それぞれ装置画像に付与された属性である装置ＩＤの子ＩＤを付与される。ここでは、装置ＩＤを「Tokyo2009031309005」とした場合、要素画像に付与される子ＩＤを「Tokyo2009031309005-A01」、「Tokyo2009031309005-B02」などとする。
【００４６】
画像分割部１０２は、最終分割画像や子ＩＤなどを装置画像ＤＢ１０８に保存する（Ｓ１２）。
【００４７】
また、警報取得時の表示のため、画像分割部１０２によって、最終分割画像の色調等を変換した画像を、別途作成しておく。例えば、警報取得時の表示の際に用いられる色（赤、オレンジ、黄色、緑、青、グレー等）を元画像に網掛け処理し、子ＩＤなどと共に画像情報などを装置画像ＤＢ１０８に格納する。
【００４８】
次に、図４を参照して、パネル管理画面の例について説明する。なお、パネル管理画面の具体的な表示例については図６で後記する。
図４（ａ）に示すように、通常（警報非取得時）のパネル管理画面では、電源および各ポートそれぞれが適切に画面分割されている。
また、図４（ｂ）に示すように、警報取得時のパネル管理画面では、異常発生箇所（ここでは一番右の通信ポート）だけが、網掛け処理され、目立つようになっている。
【００４９】
（警報取得時の処理）
次に、警報取得時の処理について、つまり、生成したパネル管理画面に、装置２から取得した異常発生箇所の情報を重畳して表示する場合の処理について説明する。
【００５０】
図５に示すように、装置２から警報が発せられた場合、警報受信ＩＦ１１１にてその警報を受信（取得）し（Ｓ５１）、警報振分部１１２へ通知する。
警報振分部１１２は、警報に付与された送信元ＩＰアドレスをキーにして装置情報ＤＢ１０９から該当する装置ＩＤを検索し（Ｓ５２）、どのパネル管理画面に警報情報を振り分けるか決定する。
【００５１】
該当する装置ＩＤがない場合（Ｓ５２で「該当なし」）、パネル管理画面表示指示部１０５は、警報とともに、該当する装置の画面が見つからないことをクライアント端末３（のユーザ）に通知し(Ｓ５３)、処理を終了する。この場合、その後のために、併せて、ユーザに装置２のパネルの画像（原画像）の送信を促すのが望ましい。
【００５２】
該当する装置ＩＤがある場合（Ｓ５２で「該当あり」）、パネル管理画面表示指示部１０５は、Ｓ５２で検索した装置ＩＤをキーとして、パネル管理ＤＢ１０７から該当するパネル管理画面を検索する（Ｓ５４）。
【００５３】
該当するパネル管理画面がない場合（Ｓ５４で「該当なし」）、パネル管理画面表示指示部１０５は、クライアント端末３（のユーザ）へその旨を通知後、パネル管理画面を生成し（Ｓ５５：図２のフローチャート参照）、ステップＳ５６に進む。
【００５４】
該当するパネル管理画面がある場合（Ｓ５４で「該当あり」）、パネル管理画面表示指示部１０５は、パネル管理画面を取得し、警報情報から装置２の情報（例えば、故障しているインタフェースの情報（異常発生箇所を識別するためのＩＤ））を抽出して、パネル管理画面を再構成する（Ｓ５６）。このパネル管理画面の再構成では、パネル管理ＤＢ１０７から、装置ＩＤおよびインタフェースの情報（異常発生箇所を識別するためのＩＤ）を検索キーとして、要素画面を一意に示す子ＩＤ（例えば「Tokyo2009031309005-B12」）を検索することで、パネル管理画面のどの部分（要素画面の領域）に異常発生箇所を関連付けて表示するかを決定する。
【００５５】
Ｓ５６について、さらに説明すると、管理画面生成装置１の記憶部（不図示）は、図２のＳ１１の後、パネル管理画面における分割領域ごとに、その分割領域に属する異常発生の検出対象の箇所（電源や各ポート）の識別情報を示した対応情報を、記憶している。この対応情報は、例えば、図３ＣのＳ１１−５の例では、「Ｂ０２（子ＩＤ）」と「電源」、「Ｂ０７（子ＩＤ）」と「通信ポート＃１」といったような対応を示す情報である。
【００５６】
そして、Ｓ５６において、パネル管理画面表示指示部１０５は、装置２から異常発生の検出箇所の識別情報を含む警報の入力を受け付けたとき、前記対応情報と、警報に含まれる異常発生の検出箇所の識別情報とを照合して、パネル管理画面における当該異常発生の検出箇所の属する分割領域を特定することで、パネル管理画面における異常発生の検出箇所の表示を行う。
【００５７】
続いて、パネル管理画面表示指示部１０５は、クライアント端末３に対して、警報通知をするとともに、クライアント端末３の表示部３１にパネル管理画面を表示させ（Ｓ５７）、処理を終了する。
【００５８】
Ｓ５７において、表示部３１には、例えば、図６に示すように、上部に、実際の装置２の構成に異常発生箇所をマッピングしたパネル管理画面が表示され、下部に、装置２から送信された警報一覧が表示される。クライアント端末３のユーザは、この表示部３１の表示を見て、装置２における異常発生箇所を容易に認識することができる。
【００５９】
このように、本実施形態の管理画面生成装置１によれば、実際に稼動している装置２のパネルを正確に表すパネル管理画面に異常発生箇所をマッピングしてクライアント端末３の表示部３１に表示することで、クライアント端末３のユーザに装置２の異常発生箇所を容易に認識させることができる。
【００６０】
また、本実施形態のネットワークシステム１０００によれば、管理画面生成装置１を用いて装置２を管理するユーザが、第三者である管理画面生成装置１の開発者に装置２の詳細な構成情報を開示することなく、装置２のパネルを正確に表すパネル管理画面を用いて、装置２の管理を行うことができる。また、装置２の構成が変更された際にも、迅速に、変更後の装置２の構成を表すパネル管理画面を用いて装置２の管理を行うことができる。
【００６１】
なお、コンピュータを管理画面生成装置１として機能させるためのプログラムを作成し、コンピュータにインストールすることにより、そのコンピュータはそのプログラムに基づいた各機能を実現することができる。
【００６２】
以上で本実施形態の説明を終えるが、本発明の態様はこれらに限定されるものではない。
例えば、装置２や各ポートや電源や故障箇所などを識別するための情報は、ＩＰアドレスやユーザ独自のキーワード（「Tokyo2009031309005」など）など、一意に特定できるものであれば何でも良い。また、ＩＦポートを一意に特定するために、例えば、「Tokyo2009031309005（装置名）」と「Giga bit Ethernet（登録商標）01/01（ＩＦ名）」とを組み合わせるような方法を用いても良い。
【００６３】
また、パネル管理画面において、電源や各ポートのすべてを別々の要素画像に分けなくても、例えば、関連性の高い複数のポートを意図的に１つの要素画像に含めることでグルーピングし、その複数のポートについては必ず同時に異常発生箇所の表示を行うようにするなどしても良い。
その他、具体的な構成や処理について、本発明の主旨を逸脱しない範囲で適宜変更が可能である。
【符号の説明】
【００６４】
１      管理画面生成装置
２      装置
３      クライアント端末
４      ネットワーク
３１    表示部
１００  装置画像入力ＩＦ
１０１  装置抽出部
１０２  画像分割部
１０３  パネル管理画面生成部
１０４  パネル管理画面テンプレートファイルＤＢ
１０５  パネル管理画面表示指示部
１０６  設定ＩＦ
１０７  パネル管理ＤＢ
１０８  装置画像ＤＢ
１０９  装置情報ＤＢ
１１０  装置情報登録部
１１１  警報受信ＩＦ
１１２  警報振分部
１０００  ネットワークシステム
【図１】
2011002971.tif 000003
【図２】
2011002971.tif 000004
【図３Ａ】
2011002971.tif 000005
【図３Ｂ】
2011002971.tif 000006
【図３Ｃ】
2011002971.tif 000007
【図４】
2011002971.tif 000008
【図５】
2011002971.tif 000009
【図６】
2011002971.tif 000010